(57)【要約】【課題】歯科用Ｘ線撮影装置で使用されるＸ線センサカセットの製造コストを低減する。【解決手段】Ｘ線センサカセット１Ａ，１Ｂの基板２２には、ピン穴３１ａ，３１ｂ、映像信号処理回路３２、及び駆動回路３３の組み合わせが３組設けられている。パノラマ撮影用のＸ線センサ２６Ａは２個のＸ線センサデバイス２５を備える。セファロ撮影用のＸ線センサ２６Ｂは３個のＸ線センサデバイス２５を備える。基板２２には、いずれのＸ線センサ２６Ａ，２６Ｂも搭載可能である。【選択図】図２
2010000187.tif 000002
【特許請求の範囲】
【請求項１】
歯科用Ｘ線撮影装置のカセット装着部に装着され、Ｘ線発生部から撮影対象を透過して入射するＸ線を検出するＸ線センサカセットであって、
それぞれ入射するＸ線の強度に応じたアナログ信号を発生する複数の画素と前記画素への駆動信号の入力及び前記画素からの前記アナログ信号の読み出しのための入出力部とを有するＸ線センサデバイスを少なくとも１個備えるＸ線センサと、
前記Ｘセンサに前記Ｘ線センサデバイスが搭載されると前記入力部と電気的な接続が確立される複数のセンサデバイス搭載部と、個々のセンサデバイス搭載部毎に設けられ、前記センサデバイス搭載部及び前記入力部を介して前記駆動信号の入力及び前記アナログ信号の読み出しを少なくとも含む前記Ｘ線センサデバイスの制御をそれぞれ実行する複数のデバイス制御回路とを有するセンサ搭載部と
を備える、Ｘ線センサカセット。
【請求項２】
前記センサ搭載部は前記センサデバイス搭載部をＮ個有し、
パノラマ撮影用の前記Ｘ線センサは、Ｎ個よりも少ないＭ個の前記Ｘ線センサデバイスを備え、
セファロ撮影用の前記Ｘ線センサは、Ｍ個よりも多くＮ個以下であるＬ個の前記Ｘ線センサデバイスを備える、
請求項１に記載のＸ線センサカセット。
【請求項３】
前記デバイス制御回路と電気的に接続され、前記カセット装着部への装置時に前記カセット装着部に設けられた装置側コネクタに電気的に接続されるカセット側コネクタと、
前記カセット側コネクタと前記装置側コネクタとの接続時に、パノラマ撮影用とセファロ撮影用のいずれであるかを前記歯科用Ｘ線撮影装置側で電気的に認識可能とする識別部と
をさらに備える、請求項２に記載のＸ線センサカセット。
例えば、
【請求項４】
前記入力部と前記センサデバイス搭載部のうちいずれか一方がピンを備え、他方が前記ピンを差し込んで電気的接続を確立するためのピン穴を備える、請求項１から請求項３のいずれか１項に記載のＸ線センサカセット。
【請求項５】
Ｘ線を撮影対象に照射するＸ線発生部と、前記撮影対象を透過したＸ線を検出するＸ線センサカセットが装着されるカセット装着部とを備える歯科用Ｘ線撮影装置であって、
前記Ｘ線センサカセットは、
それぞれ入射するＸ線の強度に応じたアナログ信号を発生する複数の画素と、前記画素への駆動信号の入力及び前記画素からの前記アナログ信号の読み出しのための入出力部とを有するＸ線センサデバイスを少なくとも１個備えるＸ線センサと、
前記Ｘセンサに前記Ｘ線センサデバイスが搭載されると前記入力部と電気的な接続が確立される複数のセンサデバイス搭載部と、個々のセンサデバイス搭載部毎に設けられ、前記センサデバイス搭載部及び前記入力部を介して前記駆動信号の入力及び前記アナログ信号の読み出しを少なくとも含む前記Ｘ線センサデバイスの制御をそれぞれ実行する複数のデバイス制御回路とを有するセンサ搭載部と
を備える、歯科用Ｘ線撮影装置。
【発明の詳細な説明】
【技術分野】
【０００１】
本発明は歯科用Ｘ線撮影装置で使用されるＸ線センサカセットに関する。
【背景技術】
【０００２】
被撮影者の口全体を撮影するパノラマ撮影と、いわゆる頭部Ｘ線規格写真を撮影するセファロ撮影との両方を１つの装置で実行可能な歯科用Ｘ線撮影装置が知られている。例えば、特許文献１，２に記載の歯科用Ｘ線撮影装置は、それぞれパノラマ撮影時とセファロ撮影時に被撮影者を透過したＸ線を検出するために、２つのカセット装着部を備える。パノラマ撮影に必要なＸ線受光部の長さはセファロ撮影に必要なＸ線受光部の長さよりも短い。従って、Ｘ線受光部の長さをセファロ撮影用に設定したＸ線センサを備えるＸ線センサカセットでパノラマ撮影とセファロ撮影の両方が可能である。そのため、特許文献１，２に記載の歯科用Ｘ線撮影装置では、セファロ撮影用のＸ線センサを備えるＸ線センサカセットを２つのカセット装着部のいずれかに装着することで、パノラマ撮影とセファロ撮影を可能としている。
【０００３】
特許文献１，２に記載の構成では、パノラマ撮影とセファロ撮影を切り換える際には、Ｘ線センサカセットを一方のカセット装着部から取り外して他方のカセット装着部に装着する作業が必要である。この作業は高価なＸ線センサカセットを落下等で損傷させないように十分な注意を払って行う必要があり、煩雑である。パノラマ撮影とセファロ撮影の切換時におけるＸ線センサカセットの着脱を不要とするには、パノラマ撮影用とセファロ撮影用のカセット装着部に、それぞれＸ線センサカセットを装着しておけばよい。つまり、Ｘ線センサカセットを２つ準備すればよい。しかし、前述のようにＸ線センサカセットは高価であるので、パノラマ撮影とセファロ撮影の切換時の着脱を不要とするために２つのＸ線センサカセットを準備する運用を現実的なものとするには、Ｘ線センサカセットの製造コストを低減する必要がある。
【０００４】
この種のＸ線撮影装置において、使用開始当初は、セファロ撮影用よりは安価であるパノラマ撮影用のＸ線センサを備えるＸ線センサカセットを準備してパノラマ撮影のみを実行可能とし、必要が生じたときにはＸ線センサをパノラマ撮影用からセファロ撮影用に交換（Ｘ線センサカセットのグレードアップないし改良）を行う運用が考えられる。しかし、このような運用を現実的なものとするには、Ｘ線センサカセットのパノラマ撮影用からセファロ撮影用へのグレードアップないし改良を簡易かつ低コストで実行可能とする必要がある。
【０００５】
以上のように、この種のＸ線センサカセットにおいて、製造コストを効果的に低減することと、パノラマ撮影用からセファロ撮影用へのグレードアップないし改良を簡易かつ低コストで実行可能とすることが要求されている。
【０００６】
【特許文献１】特開２００２−１７７１８号公報
【特許文献２】特開２００６−２２３８８５号公報
【発明の開示】
【発明が解決しようとする課題】
【０００７】
本発明は、歯科用Ｘ線撮影装置で使用されるＸ線センサカセットにおいて、製造コストを低減することと、パノラマ撮影用からセファロ撮影用への改良を簡易かつ低コストで実行可能とすることを課題とする。
【課題を解決するための手段】
【０００８】
本発明の第１の態様は、歯科用Ｘ線撮影装置のカセット装着部に装着され、Ｘ線発生部から撮影対象を透過して入射するＸ線を検出するＸ線センサカセットであって、それぞれ入射するＸ線の強度に応じたアナログ信号を発生する複数の画素と、前記画素への駆動信号の入力及び前記画素からの前記アナログ信号の読み出しのための入出力部とを有するＸ線センサデバイスを少なくとも１個備えるＸ線センサと、前記Ｘセンサに前記Ｘ線センサデバイスが搭載されると前記入力部と電気的な接続が確立される複数のセンサデバイス搭載部と、個々のセンサデバイス搭載部毎に設けられ、前記センサデバイス搭載部及び前記入力部を介して前記駆動信号の入力及び前記アナログ信号の読み出しを少なくとも含む前記Ｘ線センサデバイスの制御をそれぞれ実行する複数のデバイス制御回路とを有するセンサ搭載部とを備える、Ｘ線センサカセットを提供する。
【０００９】
具体的には、前記センサ搭載部は前記センサデバイス搭載部をＮ個有し、パノラマ撮影用の前記Ｘ線センサは、Ｎ個よりも少ないＭ個の前記Ｘ線センサデバイスを備え、セファロ撮影用の前記Ｘ線センサは、Ｍ個よりも多くＮ個以下であるＬ個の前記Ｘ線センサデバイスを備える。例えば、センサデバイス搭載部は３個である場合、パノラマ撮影用のＸ線センサが備えるＸ線センサデバイスを２個とし、セファロ撮影用のＸ線センサが備えるＸ線センサデバイスを３個とする。
【００１０】
同一のセンサ搭載部に、異なる個数のＸ線センサデバイスを有するＸ線センサを搭載可能とすることにより、パノラマ撮影用のＸ線センサカセットとセファロ撮影用のＸ線センサカセットとの間で最大限部品を共通化することができる。その結果、Ｘ線センサカセットの製造コストを低減できる。また、パノラマ撮影用のＸ線センサカセットをセファロ撮影用のＸ線センサカセットに改造する場合には、単にＸセンサデバイスの個数が少ないＸ線センサに代えて、Ｘ線デバイスの個数が大きいＸ線センサをセンサ搭載部に搭載するだけでよい。つまり、パノラマ撮影用からセファロ撮影用への改良を簡単かつ低コストで実行できる。
【００１１】
好ましくは、前記Ｘ線センサカセットは、前記デバイス制御回路と電気的に接続され、前記カセット装着部への装置時に前記カセット装着部に設けられた装置側コネクタに電気的に接続されるカセット側コネクタと、前記カセット側コネクタと前記装置側コネクタとの接続時に、パノラマ撮影用とセファロ撮影用のいずれであるかを前記歯科用Ｘ線撮影装置側で電気的に認識可能とする識別部とをさらに備える。
【００１２】
例えば、前記入力部と前記センサデバイス搭載部のうちいずれか一方がピンを備え、他方が前記ピンを差し込んで電気的接続を確立するためのピン穴を備える。
【００１３】
本発明の第２の態様は、Ｘ線を撮影対象に照射するＸ線発生部と、前記撮影対象を透過したＸ線を検出するＸ線センサカセットが装着されるカセット装着部とを備える歯科用Ｘ線撮影装置であって、前記Ｘ線センサカセットは、それぞれ入射するＸ線の強度に応じたアナログ信号を発生する複数の画素と、前記画素への駆動信号の入力及び前記画素からの前記アナログ信号の読み出しのための入出力部とを有するＸ線センサデバイスを少なくとも１個備えるＸ線センサと、前記Ｘセンサに前記Ｘ線センサデバイスが搭載されると前記入力部と電気的な接続が確立される複数のセンサデバイス搭載部と、個々のセンサデバイス搭載部毎に設けられ、前記センサデバイス搭載部及び前記入力部を介して前記駆動信号の入力及び前記アナログ信号の読み出しを少なくとも含む前記Ｘ線センサデバイスの制御をそれぞれ実行する複数のデバイス制御回路とを有するセンサ搭載部とを備える、歯科用Ｘ線撮影装置を提供する。
【発明の効果】
【００１４】
本発明の歯科用Ｘ線撮影装置用のＸ線センサカセットは、同一のセンサ搭載部に、異なる個数のＸ線センサデバイスを有するＸ線センサを搭載可能としているので、パノラマ撮影用とセファロ撮影用との間で最大限部品を共通化して製造コストを低減でき、パノラマ撮影用からセファロ撮影用への改良も簡単かつ低コストで実行できる。
【発明を実施するための最良の形態】
【００１５】
次に、添付図面を参照して本発明の実施形態を説明する。
【００１６】
図１は、本発明の実施形態に係るＸ線センサカセット１Ａ，１Ｂを備える歯科用Ｘ線撮影装置（以下、単にＸ線撮影装置という。）２を示す。このＸ線撮影装置２は、支持フレーム３によって支持されて鉛直方向の軸周りに水平面内で旋回する旋回アーム４を備える。この旋回アーム４は、一端にＸ線源としてのＸ線管等を含むＸ線発生部５を備え、他端にパノラマ撮影用のカセット装着部６Ａを備える。また、支持フレーム３には撮影対象としての被撮影者の頭部を位置決めするための位置決め部７が設けられている。さらに、支持フレーム３から水平に延びる支持アーム８の先端に、セファロ撮影用のカセット装着部６Ｂが設けられている。
【００１７】
個々のカセット装着部６Ａ，６Ｂは、Ｘ線センサカセット１Ａ，１Ｂを着脱可能に装着するための凹部１１ａ，１１ｂを備え、これら凹部１１ａ，１１ｂ内には後述するＸ線センサカセット１Ａ，１Ｂのコネクタ３４と接続されるコネクタ１２ａ，１２ｂが配置されている。これらのコネクタ１２ａ，１２ｂは、支持フレーム３に内蔵された制御装置１３に接続されている。この制御装置１３がパノラマ撮影及びセファロ撮影を含むＸ線撮影装置２の動作を制御する。制御装置１３はパーソナルコンピュータ１４等の外部機器と通信可能に接続できる。制御装置１３は、パーソナルコンピュータ１４等の外部機器と協働してＸ線撮影装置２の動作を制御してもよい。
【００１８】
２種類のＸ線センサカセット１Ａ，１Ｂのうち、一方のＸ線センサカセット１Ａはパノラマ撮影用であり、他方のＸ線センサカセット１Ｂはセファロ撮影用である。Ｘ線センサカセット１Ａはカセット装着部６Ａに装着してパノラマ撮影に使用できるが、カセット装着部６Ｂに装着してセファロ撮影に使用することはできない（図１の矢印Ａ１参照）。他方のＸ線センサカセット１Ｂはカセット装着部６Ａに装着してパノラマ撮影に使用することも、カセット装着部６Ｂに装着してセファロ撮影に使用することもできる（図１の矢印
Ａ２，Ａ３参照）。ただし、２種類のＸ線センサカセット１Ａ，１ＢはＸ線受光面の長さ、具体的には後述するＸ線センサが何個のＸ線センサデバイスを備えているかのみが相違しており、その他の構成は共通している。
【００１９】
以下、図２から図３を参照してＸ線センサカセット１Ａ，１Ｂについて詳細に説明する。以下の説明において、２種類のＸ線センサカセット１Ａ，１Ｂに共通する構成等について言及する場合、Ｘ線センサカセット１Ａ，１ＢをＸ線センサカセット１と総称する場合がある。
【００２０】
図２を参照すると、Ｘ線センサカセット１は、樹脂製のハウジング２１と、このハウジング２１内に収容された基板２２を備える。ハウジング２１は、カセット装着部６Ａ，６Ｂの凹部１１ａ，１１ｂ内に着脱可能に収容される上側ハウジング２３と、この上側ハウジング２３に対して着脱可能な下向きに延びる下側ハウジング２４とを備える。上側ハウジング２３から下側ハウジング２４を取り外すと、内部の基板２２のほぼ全体が露出する。
【００２１】
図２（矢印Ｂ１）及び図３を参照すると、パノラマ撮影用のＸ線センサカセット１Ａの基板２２には、２個のＸ線センサデバイス２５を含むＸ線センサ２６Ａが搭載される。一方、図２（矢印Ｂ２）及び図４を参照すると、セファロ撮影用のＸ線センサカセット１Ｂの基板２２には、３個のＸ線センサデバイス２５を含むＸ線センサ２６Ｂが搭載される。
【００２２】
個々のＸ線センサ２６Ａ，２６Ｂが備えるＸ線センサデバイス２５自体の構造は、同一である。このＸ線センサデバイス２５は、可視光の強度に応じたアナログ信号を発生する複数の画素（光電変換部）が格子状に配置されたＣＣＤ２７（他に、格子状以外として、１列状、ハチノス状などでも良い。）と、このＣＣＤ２７の前面に配置されたシンチレータ２８と、シンチレータ２８とＣＣＤ２７を光学的に結合するファイバーガラス２９とを備える。入射するＸ線はシンチレータ２８により可視光に変換されてファイバーガラス２９によりＣＣＤ２７の画素に導かれ、その結果入射するＸ線の強度に応じたアナログ信号が個々の画素で発生する。Ｘ線発生部５から出射されるＸ線の形状に対応して、ＣＣＤ２７の複数の画素は細長い矩形状に配置されている（Ｘ線センサデバイス２５は細長いＸ線受光面２５ａを有する）。また、Ｘ線センサデバイス２５は、Ｘ線受光面２５ａとは反対側に突出するピン３０ａ，３０ｂを備える。本実施形態では、１本のピン３０ａが信号読み出し用で、残りのピン３０ｂがＣＣＤ駆動用（ＶＣＣ、ＧＮＤを含む）である。
【００２３】
本実施形態では、最大３個のＸ線センサデバイス２５を搭載可能とするために、基板２２上に、複数のソケットないしピン穴３１ａ，３１ｂ、映像信号処理回路３２、及び駆動回路３３の組み合わせを３組み設けている。Ｘ線センサ２６Ａ，２６Ｂを構成するＸ線センサデバイス２５は、ピン３０ａ，３０ｂがそれぞれ対応するピン穴３１ａ，３１ｂに差し込まれることで、基板２２に搭載される。また、この搭載と同時に、ピン３０ａ，３０ｂと対応するピン穴３１ａ，３１ｂとの間に電気的な接続が確立される。ピン穴３１ａは映像信号処理回路３２に電気的に接続されている。映像信号処理回路３２は、ピン３０ａ及びピン穴３１ａを介してＸ線センサデバイス２５のＣＣＤ２７から入射Ｘ線の強度に応じたアナログ信号を読み出す。また、映像信号処理回路３２は、読み出したアナログ信号のＡ／Ｄ変換と、Ａ／Ｄ変換後の信号の制御装置１３への送信を実行する。制御装置１３又はパーソナルコンピュータ１４等の外部機器においてＸ線センサ２６Ａ，２６Ｂ（Ｘ線センサデバイス２５）から受信した信号が画像に再構築（再構成）されディスプレイ１５等に表示される。ピン穴３１ｂは駆動回路３３に電気的な接続されている。駆動回路３３は、制御装置１３からの指令に基づいて、Ｘ線センサデバイス２５のＣＣＤ２７に対してピン穴３１ｂ及びピン３０ｂを介して駆動信号を出力し、撮影動作を実行させる。
【００２４】
基板２２の図２から図３において上端部には、映像信号処理回路３２と駆動回路３３に電気的な接続されたコネクタ３４が設けられている。
【００２５】
図２から図４に示すように、Ｘ線センサ２６Ａ，２６ＢをＸ線の入射方向から見たときのＸ線センサデバイス２５のＸ線受光部２５ａ以外の部分は、雑音発生防止のために遮光部材３５で覆われている。
【００２６】
図３及び図４を対比すれば最も明瞭に理解されるように、パノラマ撮影用のＸ線センサカセット１Ａとセファロ撮影用のＸ線センサカセット１Ｂとは、前者のＸ線センサ２６Ａが２個のＸ線センサデバイス２５を備えるのに対して、後者のＸ線センサ２６Ｂが３個のＸ線センサデバイス２５を備える点で異なるに過ぎない。言い換えれば、パノラマ撮影用のＸ線センサカセット１Ａとセファロ撮影用のＸ線センサカセット１Ｂとは、ハウジング２１、基板２２、ピン穴３１ａ，３１ｂ、駆動回路３３、映像信号処理回路３２等のその他の大部分の構成が共通化されている。パノラマ撮影用とセファロ撮影用のＸ線センサカセット１Ａ，１Ｂ間で最大限部品を共通化することにより、Ｘ線センサカセット１Ａ，１Ｂの製造コストを低減できる。その結果、２つのカセット装着部６Ａ，６ＢにそれぞれＸ線センサカセット１Ａ，１Ｂを装着しておいて、パノラマ撮影とセファロ撮影の切換時であってもＸ線センサカセットの着脱を不要する運用が、コストの観点から現実的なものとなる。
【００２７】
また、前述のように、パノラマ撮影用とセファロ撮影用のＸ線センサカセット１Ａ，１Ｂ間で最大限部品を共通化したことにより、パノラマ撮影用のＸ線センサカセット１Ａをセファロ撮影用のＸ線センサカセット１Ｂに改造する場合には、単にＸセンサデバイス２５の個数が２個であるパノラマ撮影用のＸ線センサ２６Ａに代えて、Ｘ線センサデバイス２５の個数が３個であるＸ線センサ２６Ｂを基板２２に搭載するだけでよい。つまり、パノラマ撮影用からセファロ撮影用への改良を簡単かつ低コストで実行できる。その結果、使用開始当初はセファロ撮影用のＸ線センサカセット１Ｂよりも比較的安価（Ｘ線センサを構成するＸ線センサデバイス２５の個数が少ない）であるパノラマ撮影用のＸ線センサカセット１Ａをカセット装着部６Ａに装着してパノラマ撮影のみを実行可能として、必要が生じたときには、パノラマ撮影用のＸ線センサ２６Ａからセファロ撮影用のＸ線センサ２６Ｂに交換してＸ線センサカセットをグレードアップないし改良する運用がコストの観点から現実的なものとなる。このように、デバイスの価格に比べ、回路のコストははるかに安く、個別に回路を増減させた基板を設けることにより一元化したほうが、メリットが大きい。
【００２８】
図３に示すように、パノラマ撮影用のＸ線センサカセット１Ａでは、コネクタ３４の複数の端子のうちの２つの端子３６ａ，３５ｂに検出用の抵抗３７が接続されている。一方、図４に示すように、セファロ撮影用のＸ線センサカセット１Ｂでは、これらの端子３６ａ，３６ｂに抵抗は接続されていない。Ｘ線センサカセット１Ａ，１Ｂがカセット装着部６Ａ，６Ｂの凹部１１ａ，１１ｂに装着されてコネクタ１２ａ，１２ｂとコネクタ３４が互いに接続されると、Ｘ線撮影装置２の制御装置１３は、端子３６ａ，３６ｂ間の電気的特性（例えばインピーダンス）の相違から、装着されているのがパノラマ撮影用のＸ線センサカセット１Ａであるのか、セファロ撮影用のＸ線センサカセット１であるのかを認識できる。パノラマ撮影用のＸ線センサカセット１がセファロ撮影用のカセット装着部６Ｂに装着されていることが検出した場合、制御装置１３が音、画像等で使用者に対して確認を促してもよい。
【００２９】
本発明は前記実施形態に限定されず、種々の変形が可能である。例えば、前記実施形態では、基板２２に３個のＸセンサデバス２５を搭載可能で、パノラマ撮影用のＸ線センサ２６Ａが２個、セファロ撮影用のＸ線センサ２６Ｂが３個のＸ線センサデバイス２５をそれぞれ備える。しかし、基板２２がＮ個（≧２）のＸ線センサデバイス２５を搭載可能で、パノラマ撮影用のＸ線センサ２６ＡがＮ個よりも少ないＭ個（≧１）、セファロ撮影用のＸ線センサ２６ＢがＭ個よりも多くＮ個以下であるＬ個（≧２）のＸ線センサデバイス２５を備える場合に、本発明を適用できる。
【図面の簡単な説明】
【００３０】
【図１】本発明の実施形態に係るＸ線センサカセットを備える歯科用Ｘ線撮影装置を示す模式図。
【図２】本発明の実施形態に係るＸ線センサカセットをＸ線入射方向から見た模式的な正面図（Ｘ線センサを基板から取り外した状態）。
【図３】本発明の実施形態に係るパノラマ撮影用のＸ線センサカセットをＸ線入射方向から見た模式的な正面図。
【図４】本発明の実施形態に係るセファロ撮影用のＸ線センサカセットをＸ線入射方向から見た模式的な正面図。
【符号の説明】
【００３１】
１Ａ，１Ｂ  Ｘ線センサカセット
２  歯科用Ｘ線撮影装置
３  支持フレーム
４  旋回アーム
５  Ｘ線発生部
６Ａ，６Ｂ  カセット装着部
７  位置決め部
８  支持アーム
１１a．１１ｂ  凹部
１２ａ，１２ｂ  コネクタ
１３  制御装置
１４  パーソナルコンピュータ
１５  ディスプレイ
２１  ハウジング
２２  基板
２３  上側ハウジング
２４  下側ハウジング
２５  Ｘ線センサデバイス
２５ａ  Ｘ線受光面
２６Ａ，２６Ｂ  Ｘ線センサ
２７  ＣＣＤ
２８  シンチレータ
２９  ファイバーガラス
３０ａ，３０ｂ  ピン
３１ａ，３１ｂ  ピン穴
３２  映像信号処理回路
３３  駆動回路
３４  コネクタ
３５  遮光部材
３６ａ，３６ｂ  端子
３７  抵抗
【図１】
2010000187.tif 000003
【図２】
2010000187.tif 000004
【図３】
2010000187.tif 000005
【図４】
2010000187.tif 000006